(57)【要約】      （修正有）【課題】音による定位提示機能を備える水量調整弁を提供する。【解決手段】水量調整弁は、上開口部１１及び下開口部１２を含む弁カバー１０を含む。上開口部１１に凸管部１３が設けられ、凸管部１３に複数の分段溝１４が設けられている。そして、操作台２０が弁カバー１０の内部に設けられ、操作台２０の天辺にロック部２２が設けられている。また、クリッカー３０がロック部２２に掛けて設けられ、クリッカー３０と操作台２０とを同時に回転させる。続いて供水制御ユニット４０が弁カバー１０の内部に設けられ、供水制御ユニット４０と操作台２０が連動する。【選択図】図２
0003214040.tif 000002
【実用新案登録請求の範囲】
【請求項１】
定位提示機能を備える水量調整弁であって、
中空筒状の弁カバー（１０）であって、該弁カバー（１０）は上開口部（１１）及び下開口部（１２）を含み、該上開口部（１１）が該弁カバー（１０）の軸方向へ延伸して凸管部（１３）が設けられ、該凸管部（１３）の外周には該凸管部（１３）に沿って複数の分段溝（１４）が凹状に設けられている、弁カバー（１０）と、
操作台（２０）であって、該操作台（２０）の天辺には弁レバー（２１）が設けられ、該操作台（２０）は同軸で前記弁カバー（１０）の内側の、前記上開口部（１１）に近い一端に設けられ、前記操作台（２０）の天辺より軸方向に沿って延伸したロック部（２２）が設けられ、該ロック部（２２）の高さは前記凸管部（１３）の高さよりも高い、操作台（２０）と、
金属材質で構成されたリング状カバー構造の被り式分段クリッカー（３０）であって、該クリッカー（３０）は、前記ロック部（２２）に掛けることによって、クリッカー（３０）と操作台（２０）とを同時に回転させるのに用いられる、クリッカー（３０）と、
前記弁カバー（１０）の内側の、前記下開口部（１２）に近い一端に設けられる供水制御ユニット（４０）であって、前記供水制御ユニット（４０）は前記操作台（２０）と連動し、前記供水制御ユニット（４０）を冷水供給位置、お湯供給位置または混合出水位置のいずれかに位置させる、供水制御ユニット（４０）と、
を含む、定位提示機能を備える水量調整弁。
【請求項２】
定位提示機能を備える水量調整弁であって、
中空筒状の弁カバー（１０）であって、該弁カバー（１０）は上開口部（１１）及び下開口部（１２）を含み、該上開口部（１１）が該弁カバー（１０）の軸方向へ延伸して凸管部（１３）が設けられ、該凸管部（１３）の外周には該凸管部（１３）に沿って複数の分段溝（１４）が凹状に設けられている、弁カバー（１０）と、
操作台（２０）であって、該操作台（２０）の天辺には弁レバー（２１）が設けられ、該操作台（２０）は同軸で前記弁カバー（１０）の内側の、前記上開口部（１１）寄りの一端に設けられ、前記操作台（２０）の天辺より軸方向に沿って延伸したロック部（２２）が設けられ、該ロック部（２２）の高さは前記凸管部（１３）の高さよりも高い、操作台（２０）と、
金属材質で構成されたリング状カバー構造の被り式分段クリッカー（３０）であって、該クリッカー（３０）は、前記ロック部（２２）に掛けることによって、該クリッカー（３０）と前記操作台（２０）とを同時に回転させるのに用いられる、クリッカー（３０）と、
前記弁カバー（１０）の内側の、下開口部（１２）寄りの一端に設けられる供水制御ユニット（４０）であって、前記供水制御ユニット（４０）は前記操作台（２０）と連動し、前記供水制御ユニット（４０）を冷水供給位置、お湯供給位置または混合出水位置のどちらかに位置させる、供水制御ユニット（４０）と、
を含み、
前記クリッカーは受動部（３１）を含み、該受動部（３１）の中央部分には前記ロック部（２２）に掛けられるように通孔（３２）を設けられ、前記クリッカー（３０）の外周には前記凸管部（１３）に貼り合う複数のリテーナ（３６）が設けられ、各該リテーナ（３６）の内壁には前記分段溝（１４）に対応する定位凸部（３７）が設けられ、該定位凸部（３７）は前記分段溝（１４）のいずれかと嵌合するように構成され、前記定位凸部（３７）が前記分段溝（１４）のいずれかと嵌合するとき、前記分段溝（１４）と前記定位凸部（３７）の間に第１のずれ回転回避空間（５０）が形成され、該第１のずれ回転回避空間（５０）が前記クリッカー（３０）に第１の回転角度（θ１）を提供し、前記通孔（３２）の内壁には前記ロック部（２２）の相対位置に凹み部（３３）が設けられ、該凹み部（３３）の幅は前記ロック部（２２）の幅よりも大きく、前記クリッカー（３０）が前記操作台（２０）に掛けて設けられる場合、前記凹み部（３３）と前記ロック部（２２）の間に第２のずれ回転回避空間（５１）が形成され、該第２のずれ回転回避空間（５１）が前記クリッカー（３０）に第２の回転角度（θ２）を提供することを特徴とする定位提示機能を備える水量調整弁。
【請求項３】
前記ロック部（２２）の天辺に前記操作台（２０）に沿って延伸する止め部（２３）と溝（２４）とが設けられ、前記クリッカー（３０）が前記操作台（２０）に掛けて設けられている場合、定位ユニット（２５）によって前記ロック部（２２）の止め部（２３）と前記クリッカー（３０）の間に掛けられ、前記溝（２４）の高さは前記定位ユニット（２５）と前記クリッカー（３０）の高さの総和よりも高く、前記定位ユニット（２５）と前記クリッカー（３０）との間に第１の振動空間（５２）が形成されることを特徴とする請求項２に記載の定位提示機能を備える水量調整弁。
【請求項４】
前記クリッカー（３０）には定位孔（３８）が設けられ、前記操作台（２０）に対応して定位ボルト（２６）が設けられ、前記クリッカー（３０）が前記操作台（２０）に掛けて設けられている場合、前記定位ボルト（２６）が前記定位孔（３８）に対応して挿入され、前記クリッカー（３０）と前記操作台（２０）とが同時に回転され、前記定位ボルト（２６）には、前記操作台（２０）に沿って延伸する位置限定部（２６１）を用いられ、該位置限定部（２６１）の高さは前記クリッカー（３０）の高さよりも高く、前記定位ボルト（２６）と前記クリッカー（３０）との間に第２の振動空間（５３）が形成されることを特徴とする請求項２に記載の定位提示機能を備える水量調整弁。
【請求項５】
前記定位凸部（３７）が前記分段溝（１４）の予定深度まで嵌合し、前記分段溝（１４）と前記定位凸部（３７）との間に第１の余り隙間（６０）が形成され、前記リテーナ（３６）の内周と前記凸管部（１３）の外周の間に第２の余り隙間（６１）が形成されることを特徴とする請求項３又は４に記載の定位提示機能を備える水量調整弁。
【考案の詳細な説明】
【技術分野】
【０００１】
本考案は水量調整弁に関し、特に音での定位提示機能を備える水量調整弁の新しい構造形態に関する。
【背景技術】
【０００２】
今日の２ハンドル式混合水栓は、内部で連動する陶磁水流制御弁によって水と湯の供水機能を制御する。水栓のハンドルは大体単純な左右回転の分段無し制御機能を用いられ、ユーザーが手洗いなど短時間での用水状況に、よく個人の操作習慣あるいは間違いによって湯を出す状況が起こる。この時、湯の流動によって更に湯沸かし器を起動させ、湯沸かし器の加熱によりエネルギーの消費が発生し、使用コストが大幅に増加する。
【０００３】
上記の問題を基づき、関連業界でその後陶磁水流制御弁が開発された。係る弁は主に弁カバー、連動台、リング、弁ハンドル、陶磁弁セット、土台を組み合わせて構成されたものであり、その中で弁カバー及びリングの相対位置にそれぞれ凹み部と凸部とが設けられ、該凹み及び凸部の設置数と位置は、水モードと湯モードに切り替える時に互いに嵌合する状態まで弁ハンドルの回転に伴うリングを回転させる必要がある。これによって、混合水栓の水流制御ハンドルを動かす間に、陶磁水流制御弁の水温度位置を設定でき、分段で開閉機能を持つ構造形態で、更に冷熱温度定位機能を持つ陶磁水流制御弁の構造を生じさせる。ただ、この従来技術を実際に使用し経験した中で下記の問題点が発見された。従来の陶磁水流制御弁が分段で水湯の供給の開閉を操作する際、ユーザーは供水の状態がよく分からず、誤って判断することが起こり、２ハンドル混合水栓の使用上の迷惑と不便を生じていた。更に従来の陶磁水流制御弁のリングは大体プラスチック材質でできているため、よく５０万回以上の耐擦りテストを通過できず、耐久性がない。そのため、長期間の使用後に摩損や損壊をしやすく、修理又は交換しなければならないため、ユーザーの迷惑になっている。
【考案の概要】
【考案が解決しようとする課題】
【０００４】
本考案は、定位提示機能を備える水量調整弁であって、課題である技術問題を解決する理想的かつ実用性のある新しい水量調整弁の構造形態を提供することを目的とする。
【０００５】
本考案の課題を解決するために、定位提示機能を備える水量調整弁は、中空筒状の弁カバーであって、該弁カバーは上開口部及び下開口部を含み、該上開口部が該弁カバーの軸方向へ延伸して凸管部が設けられ、該凸管部の外周には該凸管部に沿って複数の分段溝が凹状に設けられている、弁カバーと、操作台であって、該操作台の天辺には弁レバーが設けられ、該操作台は同軸で前記弁カバーの内側の、前記上開口部に近い一端に設けられ、前記操作台の天辺より軸方向に沿って延伸したロック部が設けられ、該ロック部の高さは前記凸管部の高さよりも高い、操作台と、金属材質で構成されたリング状カバー構造の被り式分段クリッカーであって、該クリッカーは、前記ロック部に掛けることによって、クリッカーと操作台とを同時に回転させるのに用いられる、クリッカーと、前記弁カバーの内側の、前記下開口部に近い一端に設けられる供水制御ユニットであって、前記供水制御ユニットは前記操作台と連動し、前記供水制御ユニットを冷水供給位置、お湯供給位置または混合出水位置のいずれかに位置させる、供水制御ユニットと、を含む。
【課題を解決するための手段】
【０００６】
このようなオリジナルな設計により、本考案は従来技術にとって、上記課題を解決するためになされた定位提示機能を備える水量調整弁は、ユーザーが水栓のハンドルを動かす時に、連動クリッカーが音を提示でき、ユーザーに今選別した供水状態を知らせて誤った判断を有効的に回避することができるため、操作の利便性を向上させる。また、クリッカーは金属材質で作られ、優れた耐摩損性を持ち、実用進歩性とより良い産業経済（利用）効果を用いられることを特徴とすることを要旨としている。
【図面の簡単な説明】
【０００７】
【図１】本考案の定位の提示機能を備える水量調整弁のより良い実施例の組立立体図
【図２】図１の分解立体図
【図３】図１のＡ−Ａ側断面図
【図４】図１のＢ−Ｂ側断面図
【図４Ａ】図４の局部拡大図
【図５】図１の平面図
【図６】図３の作動図
【図６Ａ】図６の局部拡大図
【図６Ｂ】図６Ａの作動図
【図７】本考案の定位の提示機能を備える水量調整弁のクリッカーと操作台の組立形態のもう一つの変化実施例の断面図
【考案を実施するための形態】
【０００８】
図面を参照しながら本考案の実施例を説明する。まず、図１、図２を参照する。本考案の定位提示機能を備える水量調整弁のより良い実施例である。これらの実施例は説明のために用いるものであり、本考案は係る構造に限定されない。定位提示機能を備える水量調整弁は弁カバー１０、操作台２０、被り式分段クリッカー３０及び供水制御ユニット４０を含む。
【０００９】
本例では、中空筒状の弁カバー１０が用いられる。弁カバー１０には上開口部１１と下開口部１２とが設けられ、上開口部１１が弁カバー１０の軸方向へ延伸して凸管部１３が設けられ、凸管部１３の外周には凸管部１３に沿って複数の分段溝１４が凹状に設けられている。
【００１０】
続いて操作台２０が設けられる。操作台２０の天辺に弁レバー２１が設けられ、操作台２０は同軸で弁カバー１０の内側の、上開口部１１に近い一端に設けられる。操作台２０の天辺より軸方向に沿って延伸したロック部２２が設けられ、ロック部２２の高さは凸管部１３の高さよりも高い。
【００１１】
続いて金属材質で構成されたリング状カバー構造の被り式分段クリッカー３０が設けられる。クリッカー３０はステンレス、鉄、アルミニウム及び合金のいずれか１つで構成させられるが、その限りではない。クリッカー３０は、ロック部２２に掛けることによって、クリッカー３０と操作台２０とを同時に回転させるのに用いられる。本例では、クリッカー３０は受動部３１を含み、受動部３１の中央部分にはロック部２２に掛けられるように通孔３２が設けられている。そして、クリッカー３０の外周には凸管部１３に貼り合う複数のリテーナ３６を設けられ、各リテーナ３６の内壁には分段溝１４に対応する定位凸部３７が設けられる。また、定位凸部３７は分段溝１４のいずれかに嵌合するように構成されており、分段溝１４と定位凸部３７の配合形態によって、弁レバー２１が供水制御ユニット４０を連動させ、冷水供給位置、お湯供給位置または混合出水位置のいずれかに位置させる際に定位性をもたらしている。特別なのは、図６Ｂのように、定位凸部３７が分段溝１４の予定深度Ｄ１まで嵌合し、且つ分段溝１４と定位凸部３７の間に第１の余り隙間６０が形成され、且つリテーナ３６の内周と凸管部１３の外周の間に第２の余り隙間６１が形成され、第１の余り隙間６０及び第２の余り隙間６１はクリッカー３０が振動する際の余裕を提供できる。
【００１２】
弁カバー１０の内側の下開口部１２に近い一端に供水制御ユニット４０が設けられる。供水制御ユニット４０が操作台２０と連動し、供水制御ユニット４０を冷水供給位置、お湯供給位置または混合出水位置のいずれかに位置させる。本例では、供水制御ユニット４０は磁器ディスクセット４１と土台４４とを含み、土台４４は弁カバー１０の下開口部１２に定位して設けられる。また、土台４４は冷水導入孔４４１、お湯導入孔４４２及び出水引導孔４４３を含む。磁器ディスクセット４１は弁カバー１０の内部に設けられ、固定ディスク４２及び回転ディスク４３を含む。固定ディスク４２を土台４４の内側にセット及び定位させ、冷水通孔４２１、お湯通孔４２２及び出水通孔４２３が設けられる。回転ディスク４３には固定ディスク４２の内側に重ねて設けられ、操作台２０より連動させられる。回転ディスク４３には水流方向制御通孔４３１と固定ディスク４２の冷水通孔４２１、お湯通孔４２２及び出水通孔４２３と相対応する。
【００１３】
図６及び図６Ａを参照する。本例では、定位凸部３７がいずれかの分段溝１４と嵌合するときに、分段溝１４と定位凸部３７との間に第１のずれ回転回避空間５０が形成され、第１のずれ回転回避空間５０がクリッカー３０に第１の回転角度θ１を提供する。定位凸部３７にはライン部３７１が含まれ、ライン部３７１の幅Ｗ３は分段溝１４の幅Ｗ１よりも小さくなっている。
【００１４】
図４を参照する。本例では、通孔３２の内壁にロック部２２の位置に相対して凹み部３３が設けられる。凹み部３３の幅Ｗ４はロック部２２の幅Ｗ５よりも大きい。クリッカー３０が操作台２０に掛けて設けられている場合、凹み部３３とロック部２２との間に第２のずれ回転回避空間５１が形成され、第２のずれ回転回避空間５１がクリッカー３０に第２の回転角度θ２を提供する。
【００１５】
図５を参照する。本例では、ロック部２２の天辺に操作台２０に沿って延伸する止め部２３と溝２４とが設けられる。クリッカー３０が操作台２０に掛けて設けられている場合、定位ユニット２５によってロック部２２の止め部２３とクリッカー３０との間に掛かる。また、溝２４の高さＨ１は定位ユニット２５の高さＨ２とクリッカー３０の高さＨ３の総和よりも高く、定位ユニット２５とクリッカー３０との間に第１の振動空間５２が形成されている。
【００１６】
上述した構造設計によって、本考案の使用動作を以下で説明する。まず、図６を参照する。ユーザーが水栓の水量ハンドルを使って、中央位置から右にある水供給位置に回転させることにより弁レバー２１と操作台２０との回転を連動させる。また、クリッカー３０と操作台２０との間に第２のずれ回転回避空間５１が形成されているため、ロック部２２の一端が凹み部３３にある垂直段３５と接触するときに、操作台２０の回転角度が第２の回転角度θ２と等しくなり、続いて操作台２０がクリッカー３０の同軸回転を連動できるようになる。図６Ａを参照する。定位凸部３７の片側が分段溝１４の内側に接触し、この時に水量制御ハンドルが継続的に回転することによって、操作台２０がクリッカー３０の回転を導くようになる。また、分段溝１４の幅がライン部３７１の幅より大きいため、定位凸部３７が分段溝１４の限定範囲内で移動でき、即ち前述した第１のずれ回転回避空間５０である。次に図６Ｂを参照する。定位凸部３７のもう片側が分段溝１４のもう片方の内側に接触する。この時、定位凸部３７の偏移回転の角度が第１の回転角度θ１と等しくなる。水量制御ハンドルが継続的に回転される場合、クリッカー３０は金属材質でできており、延伸性があるため、定位凸部３７を外に向けて分段溝１４から離れさせ、更に凸管部１３の外壁がもう一つの分段溝１４の位置に移動することになる。最後に、水量制御ハンドルが冷水供給位置に調整した場合、定位凸部３７がもう一つの分段溝１４に落ちる。この完成動作が前述の第１及び第２のずれ回転回避空間５０、５１及び第１の振動空間５２でクリッカー３０の振動余裕を提供し、更に音を発生させて、ユーザーにはっきりと現在選んでいる供水状態を分からせることによって、誤った判断の状況を避け、操作の利便性を向上させる。
【００１７】
逆に、お湯供給位置又は混合出水位置に切り替えたい場合は、水栓の水量制御ハンドルで弁レバー２１及び操作台２０を連動させ、左側に回転する。また、供水制御ユニット４０がお湯供給位置又は混合出水位置に位置する場合は、本考案は同様に定位と音で提示する機能を持ち、使用上の利便性を向上させる。
【００１８】
図７を参照する。本考案のもう一つの実施例である。最も好適な実施例との差異は、主にクリッカー３０に定位孔３８が設けられ、操作台２０に対応して定位ボルト２６が設けられ、クリッカー３０が操作台２０に掛けられて設けられている場合に、定位ボルト２６が定位孔３８に対応して挿入され、クリッカー３０と操作台２０とを同時に回転させる点である。そして、定位ボルト２６には、操作台２０に沿って延伸する位置限定部２６１が用いられ、位置限定部２６１の高さがクリッカー３０の高さよりも高いことで、操作台２０から任意に外れることが防止される。これにより、クリッカー３０の嵌合状態が制限されるほか、定位ボルト２６及びクリッカー３０の間に第２の振動空間５３が形成される
本考案の定位の提示機能を備える水量調整弁は主に操作台、クリッカー等のユニットにより構成された創造的なオリジナルな構造形態及び技術特徴を有する。そのため、本考案は従来技術で述べた周知構造に比べて、音の提示を提供することによって、ユーザーにはっきりと今選んだ供水状態を認識させ、有効的に誤った判断の状況が回避され、操作の利便性を向上させる。また、クリッカーは金属の材質で出来ているため、５０万回以上の耐摩損で、実用進歩性を有している。
【符号の説明】
【００１９】
１０  弁カバー
１１  上開口部
１２  下開口部
１３  凸管部
１４  分段溝
２０  操作台
２１  弁レバー
２２  ロック部
２３  止め部
２４  溝
２５  定位ユニット
２６  定位ボルト
２６１  位置限定部
３０  クリッカー
３１  受動部
３２  通孔
３３  凹み部
３４  カーブ段
３５  垂直段
３６  リテーナ
３７  定位凸部
３７１  ライン部
３８  定位孔
４０  供水制御ユニット             
４１  磁器ディスクセット
４２  固定ディスク
４２１  冷水通孔
４２２  お湯通孔
４２３  出水通孔
４３  回転ディスク
４３１  水流方向制御通孔
４４  土台
４４１  冷水導入孔
４４２  お湯導入孔
４４３  出水引導孔
５０  第１のずれ回転回避空間
５１  第２のずれ回転回避空間
５２  第１の振動空間
５３  第２の振動空間
θ１  第１の回転角度
θ２  第２の回転角度
６０  第１の余り隙間
６１  第２の余り隙間
Ｄ１  深度
Ｗ１、Ｗ３、Ｗ４、Ｗ５  幅
Ｈ１、Ｈ２、Ｈ３  高さ
【図１】
0003214040.tif 000003
【図２】
0003214040.tif 000004
【図３】
0003214040.tif 000005
【図４】
0003214040.tif 000006
【図４Ａ】
0003214040.tif 000007
【図５】
0003214040.tif 000008
【図６】
0003214040.tif 000009
【図６Ａ】
0003214040.tif 000010
【図６Ｂ】
0003214040.tif 000011
【図７】
0003214040.tif 000012